(57)【要約】  【課題】  アクトベースに弾性力を付勢するためのばねを押えるためのねじがなくても、前記アクトベースにばねによる弾性力を付与することができるもの光ヘッドを提供する。  【解決手段】  スライドベース１に形成されているばね止めリブ３にはスライドベース１の上面に突出した支柱部３１と、ばね４を止めるためのばね止め部３２とが形成されており、アクチュエータ２のばね受け部５には、ばね４を配置するための凹部５１が形成されている光ヘッドＡ。。【選択図】      図５
2007058898.tif 000002
【特許請求の範囲】
【請求項１】
光ディスクにレーザ光を照射することで、データの記録又は読出を行う光ヘッドであっ
て、
レーザ光を出射するレーザ光源と、前記レーザ光を反射するミラーと、前記レーザ光を
平行光にするコリメータレンズと、前記光ディスクで反射した光を分光するビームスプリ
ッタと、光を受光し電気信号に変換する受光素子とを保持するスライドベースと、前記ス
ライドベースに取り付けられ、前記レーザ光を前記光ディスクに照射するための対物レン
ズを保持するアクチュエータとを有し、
前記スライドベースは該スライドベースより突出する支柱部と、前記支柱部と直交し、
前記スライドベースと平行に配置されるばね止め部とを具備するばね止めリブと、同一球
面を形成する３個の球座とを備えており、
前記アクチュエータは前記対物レンズを保持するレンズホルダと、前記レンズホルダを
内部に配置するアクチュエータベースと、前記アクチュエータベースを付勢するばねと、
前記アクチュエータベ−スの角度を調整するとともに固定するためのねじとを備えており
、
前記アクチュエータベースには、長方形状の底部と、前記底部の四辺より立ち上がる立
ち上がり部と、前記底部の略中央より突出し前記レンズホルダが回動可能且つ摺動可能に
外嵌する円柱状のシャフトと、前記底部の裏側に配置され、前記球座と当接する先端が球
形状の３個の凸部と、前記底部の所定の角部近傍より、該底部と同一平面上に突出し前記
ばねを受けるばね受け部と、前記立ち上がり部のうち、前記ばね受け部が配置される角部
と対角に配置される角部とつながる２つの立ち上がり部に形成され、前記ねじを挿入でき
るとともに、該ねじによって角度を調整できる角度調整部とが形成されており、
前記凸部を前記球座に当接するように配置したときに、前記ばね止め部と前記ばね受け
部は対向し、該ばね止め部には前記支柱部に対面して形成される傾斜部を具備する突起部
を有するとともに、前記ばね受け部は前記支柱部側と面する側に側壁部を持たない凹部を
有し、
前記ばねの一方の端部が前記突起部を外嵌するとともに、他方の端部が前記凸部に内挿
されることで、前記ばねの脱落を抑制するとともに、前記スライドベースに対し前記ばね
受け部を介して弾性力が付勢されることを特徴とする光ヘッド。
【請求項２】
光ディスクにレーザ光を照射することで、データの記録又は読出を行う光ヘッドであっ
て、
スライドベースに取り付けられ、前記レーザ光を前記光ディスクに照射するための対物
レンズを保持するアクチュエータとを有し、
前記スライドベースは該スライドベースより突出する支柱部と、前記支柱部と直交し、
前記スライドベースと平行に配置されるばね止め部とを具備するばね止めリブと、同一球
面を形成する複数の球座とを備えており、
前記アクチュエータは前記対物レンズを保持するレンズホルダと、前記レンズホルダを
内部に配置するアクチュエータベースと、前記アクチュエータベースを付勢するばねと、
前記アクチュエータベ−スの角度を調整するとともに固定するためのねじとを備えており
、
前記アクチュエータベースには、長方形状の底部と、前記底部の裏側に配置され、前記
球座と当接する先端が球形状の複数の凸部と、前記底部の所定の角部近傍より、該底部と
同一平面上に突出し前記ばねを受けるばね受け部と、前記底部の四つの辺のうち、前記ば
ね受け部が配置される角部と対角に配置される角部とつながる２つの辺上に形成され、前
記ねじを挿入できるとともに、該ねじによって角度を調整することができる角度調整部と
を備えており、
前記凸部を前記球座に当接するように配置したときに、前記ばね止め部と前記ばね受け
部は対向し、前記ばね止め部及び前記ばね受け部には前記ばねの脱落を防止する脱落防止
部が備えられており、
前記ばねの両端部がそれぞれ脱落防止部と係合することで、該ばねの脱落を抑制すると
ともに、前記スライドベースに対し前記ばね受け部を介して弾性力が付勢されることを特
徴とする光ヘッド。
【請求項３】
前記ばね受け部に備えられる脱落防止部は、凹部であることを特徴とする請求項２に記
載の光ヘッド。
【請求項４】
前記ばね受け部に備えられる脱落防止部は、凸部であることを特徴とする請求項２に記
載の光ヘッド。
【請求項５】
前記ばね受け部に備えられる脱落防止部は、前記支柱部に向かって該ばね受け部との距
離が伸びるように傾斜していることを特徴とする請求項４に記載の光ヘッド。
【請求項６】
前記ばね止め部に備えられる脱落防止部は前記支柱部向かって該ばね止め部との距離が
縮むように傾斜している突起部であることを特徴とする請求項２から請求項５のいずれか
に記載の光ヘッド。
【発明の詳細な説明】
【技術分野】
【０００１】
本発明は、光ディスクに光を照射することでデータの記録及び（又は）読出しを行うこ
とができる光ディスク装置に関するものであり、特に前記光ディスクに光を照射する光ヘ
ッドに関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は、光ディスクの記録面に対しレーザ光を照射し、反射してきた光を
検出する光ヘッドを備えている。
【０００３】
図１に光ヘッドの配置図を示す。図１に示すようにレーザ光源Ｌｄと、ミラーＭｒと、
コリメータレンズＬｃと、対物レンズＬｂと、ビームスプリッタＢｓと、受光素子Ｐｄと
を有している。レーザ光源Ｌｄより照射されたレーザ光は一部がビームスプリッタＢｓを
透過し、ミラーＭｒで反射されてコリメータレンズＬｃに入射する。コリメータレンズＬ
ｃに入射したレーザ光は平行光として出射され対物レンズＬｂに入射する。対物レンズＬ
ｂに入射したレーザ光は光ディスクＤｓの記録面に照射される。
【０００４】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強弱によってデータを読み取るものである。
【０００５】
図８は従来の光ヘッドの平面図であり、図９は図８に示すアクチュエータの断面図であ
る。図８に示す光ヘッドＣはコリメータレンズＬｃを支持するスライドベース９１と、対
物レンズＬｂを駆動するためのアクチュエータ９２とを備えている。スライドベース９１
の上面には大きな同一球面を形成する球座９１１と、スライドベース９１の側面には光ヘ
ッドＣの動作をディスクトラック方向（ディスク半径方向）に動作方向を規制するために
形成された軸９１２と、軸９１２と摺動可能に係合する摺動孔９１３と、摺動孔９１３に
隣接して形成されるラックギヤ９１４と、ラックギヤ９１４と歯合するピニオンギヤ９１
５とを備えている。
【０００６】
アクチュエータ９２は対物レンズＬｂと、対物レンズＬｂを保持するレンズホルダ９３
と、レンズホルダ９３を支持するアクチュエータベース９４（以下、アクトベース９４と
示す）とを有している。
【０００７】
レンズホルダ９３は、対物レンズＬｂを保持するレンズ保持部９３１と、ケース９４に
設けられた後述のシャフト９４３と摺動及び回動可能に外嵌する軸孔９３２と、レンズホ
ルダ９３をシャフト９４３を中心に揺動させるためのトラッキングコイル９３３と、レン
ズホルダ９３をシャフト９４３にそって摺動させるためのフォーカシングコイル９３４と
、アクトベース９４に設けられた後述の永久磁石より発生する磁界にて力を受ける磁性板
９３５とを有している。
【０００８】
アクトベース９４は平面視矩形状の底面９４１と、底面９４１の４辺から立ち上がる立
ち上がり壁９４２と、底面９４１からケース９４内部に向かって突出するシャフト９４３
と、シャフト９４３を挟んで立ち上がり壁９４２に正対して配置される永久磁石９４４と
、底面９４１の裏側にスライドベース９１の球座９１１と接触する先端が球面に形成され
ている凸部９４５とを有している。アクチュエータ９２はアクトベース９４の凸部９４５
をスライドベース９１の球座９１１に摺動可能に載置される。シャフト９４３は磁性体で
形成されており、永久磁石９４４とシャフト９４３の間に磁界が発生している。
【０００９】
シャフト９４３はレンズホルダ９３の軸孔９３２を回動可能及び摺動可能に嵌合するよ
うにアクトベース９４内部に配置されている。このとき、永久磁石９４４とシャフト９４
３の間に発生する磁界内にレンズホルダ９３の磁性板９３５が配置される。磁性板９３５
が磁界内に配置されることで、磁性板９３５に磁気力が付与する。レンズホルダ９３は磁
性板９３５に付与する磁気力によってアクトベース９４に接触しないように浮遊支持され
る。
【００１０】
また、永久磁石９４４とシャフト９４３の間の磁界にトラッキングコイル９３３及びフ
ォーカシングコイル９３４が配置されている。トラッキングコイル９３３に電流を流すこ
とで、トラッキングコイル９３３にローレンツ力が発生する。このローレンツ力によって
、レンズホルダ９３はシャフト９４３を中心に揺動される。また、フォーカシングコイル
９３４に電流を流すことで、フォーカシングコイル９３４にローレンツ力が発生する。こ
のローレンツ力によって、レンズホルダ９３はシャフト９４３の軸方向に摺動される。
【００１１】
図８に示すように、アクトベース９４は、それには限定されないが、ここでは３箇所を
ねじ９５で止めることで、スライドベース９１に固定されている。アクトベース９４を固
定するねじ９５は、平面視矩形状のアクトベース９４の対角を押えるように配置されるも
のであり、一方の角部近傍には１本のねじ９５０が、他方の角部には角部を挟むように２
本のねじ９５１がそれぞれ備えられている。
【００１２】
１本のねじ９５０にはばね９６が取り付けられている。アクトベース９４はばね９６の
弾性力にて、スライドベース９１に向けて付勢されている。ねじ９５０に取り付けられた
ばね９６により、アクトベース９４が弾性力を受け、球座９１１上を凸部９４５に摺動回
転できるように２本のねじ９５１を適切に締めるあるいは緩めることで、凸部９４５の曲
面が球座９１１の曲面と接触しつつ移動し、アクチュエータ９２はスライドベース９１に
対して滑らかに傾きを変える。アクチュエータ９２のスライドベース９１に対する角度を
調整することで、対物レンズＬｂから照射されるレーザ光の光軸の傾きを調整することで
、光ディスクＤｓの記録面に対して垂直に照射することができる（特開平８−１６１７５
６号公報等参照）。
【特許文献１】特開平８−１６１７５６号公報
【発明の開示】
【発明が解決しようとする課題】
【００１３】
しかしながら、従来の光ヘッドＣの場合、ねじ９５０をねじ止めしなくてはならず、ね
じ９５０とねじ９５０を取り付けるための雌ねじ孔が必要であり、それだけ、部品点数が
必要であるとともに、取り付けに手間がかかる。このことより、光ヘッドＣを製造するた
めに、組み立て手間と時間がかかり組み立てコストがかかるとともに部品のコストがかか
り、トータルした製造コストも高くなる。
【００１４】
ねじ９５０にてばね９６を押えてアクトベース９４を付勢する場合、ばね９６による弾
性力はねじ９５０の締付量によって変化する。すなわち、ねじ９５０の締付量によって、
ねじ９５１の調整量が変化すると、調整が煩雑になりやすく、調整に手間と時間がかかり
、光ヘッドＣの製造に時間とコストが多く必要になる。
【００１５】
そこで本発明は、アクトベースに弾性力を付勢するためのばねを押えるためのねじがな
くても、前記アクトベースにばねによる弾性力を付与することができるものであり、光ヘ
ッドの構成部材を減らすことができ、それだけ、光ヘッドの部材コストを低減するととも
に、組み立て作業に必要な時間、手間を省略して組み立てコストも低減することができる
光ヘッドを提供することを目的とする。
【００１６】
また本発明は、アクトベースに弾性力を付勢するためのばねを押えるためのボルトがな
くても、前記アクトベースにばねによる弾性力を付与することができるものであり、組み
立て時にねじの締付工程を省略することができるので、ねじの締付が不十分であったり、
ねじが緩んだりすることで、ばねの弾性力がアクトベースに十分に付与されない不具合の
発生を抑制することができる光ヘッドを提供することを目的とする。
【課題を解決するための手段】
【００１７】
上記目的を達成するために本発明は、光ディスクにレーザ光を照射することで、データ
の記録又は読出を行う光ヘッドであって、レーザ光を出射するレーザ光源と、前記レーザ
光を反射するミラーと、前記レーザ光を平行光にするコリメータレンズと、前記光ディス
クで反射した光を分光するビームスプリッタと、光を受光し電気信号に変換する受光素子
とを保持するスライドベースと、前記スライドベースに取り付けられ、前記レーザ光を前
記光ディスクに照射するための対物レンズを保持するアクチュエータとを有し、前記スラ
イドベースは該スライドベースより突出する支柱部と、前記支柱部と直交し、前記スライ
ドベースと平行に配置されるばね止め部とを具備するばね止めリブと、同一球面を形成す
る３個の球座とを備えており、前記アクチュエータは前記対物レンズを保持するレンズホ
ルダと、前記レンズホルダを内部に配置するアクチュエータベースと、前記アクチュエー
タベースを付勢するばねと、前記アクチュエータベ−スの角度を調整するとともに固定す
るためのねじとを備えており、前記アクチュエータベースには、長方形状の底部と、前記
底部の四辺より立ち上がる立ち上がり部と、前記底部の略中央より突出し前記レンズホル
ダが回動可能且つ摺動可能に外嵌する円柱状のシャフトと、前記底部の裏側に配置され、
前記球座と当接する先端が球形状の３個の凸部と、前記底部の所定の角部近傍より、該底
部と同一平面上に突出し前記ばねを受けるばね受け部と、前記立ち上がり部のうち、前記
ばね受け部が配置される角部と対角に配置される角部とつながる２つの立ち上がり部に形
成され、前記ねじを挿入できるとともに、該ねじによって角度を調整できる角度調整部と
が形成されており、前記凸部を前記球座に当接するように配置したときに、前記ばね止め
部と前記ばね受け部は対向し、該ばね止め部には前記支柱部に対面して形成される傾斜部
を具備する突起部を有するとともに、前記ばね受け部は前記支柱部側と面する側に側壁部
を持たない凹部を有し、前記ばねの一方の端部が前記突起部を外嵌するとともに、他方の
端部が前記凸部に内挿されることで、前記ばねの脱落を抑制するとともに、前記スライド
ベースに対し前記ばね受け部を介して弾性力が付勢されることを特徴とする。
【００１８】
この構成によると、前記アクトベースに弾性力を付勢するためのばねをばね止めリブを
利用することで、前記アクトベースにばねによる弾性力を付与することができる。これに
より、前記アクトベースの傾角調整を前記ねじを回動することで行うことができ、光ヘッ
ドの構成部材を減らすことができる。
【００１９】
このことにより、光ヘッドの部材コストを低減するとともに、組み立て作業に必要な時
間、手間を省略して組み立てコストも低減することができる。
【００２０】
また、前記アクトベースに弾性力を付勢するためのばねをばね止めリブを利用すること
で、該ばね止めリブのばね止め部と前記アクトベースのばね受け部の間隙を確保すること
ができ、ばねによる弾性力を前記アクトベースに適切に付与することができる。このこと
により、レーザ光が光ディスクに正確に照射されるように調整した後に、アクチュエータ
が動くのを防止することができ、それだけ、安定して長期にわたり、データの読出し及び
（又は）記録を精度よく行うことができる。
【００２１】
上記目的を達成するために本発明は、光ディスクにレーザ光を照射することで、データ
の記録又は読出を行う光ヘッドであって、スライドベースに取り付けられ、前記レーザ光
を前記光ディスクに照射するための対物レンズを保持するアクチュエータとを有し、前記
スライドベースは該スライドベースより突出する支柱部と、前記支柱部と直交し、前記ス
ライドベースと平行に配置されるばね止め部とを具備するばね止めリブと、同一球面を形
成する複数の球座とを備えており、前記アクチュエータは前記対物レンズを保持するレン
ズホルダと、前記レンズホルダを内部に配置するアクチュエータベースと、前記アクチュ
エータベースを付勢するばねと、前記アクチュエータベ−スの角度を調整するとともに固
定するためのねじとを備えており、前記アクチュエータベースには、長方形状の底部と、
前記底部の裏側に配置され、前記球座と当接する先端が球形状の複数の凸部と、前記底部
の所定の角部近傍より、該底部と同一平面上に突出し前記ばねを受けるばね受け部と、前
記底部の四つの辺のうち、前記ばね受け部が配置される角部と対角に配置される角部とつ
ながる２つの辺上に形成され、前記ねじを挿入できるとともに、該ねじによって角度を調
整することができる角度調整部とを備えており、前記凸部を前記球座に当接するように配
置したときに、前記ばね止め部と前記ばね受け部は対向し、前記ばね止め部及び前記ばね
受け部には前記ばねの脱落を防止する脱落防止部が備えられており、前記ばねの両端部が
それぞれ脱落防止部と係合することで、該ばねの脱落を抑制するとともに、前記スライド
ベースに対し前記ばね受け部を介して弾性力が付勢されることを特徴とする。
【００２２】
この構成によると、前記アクトベースに弾性力を付勢するためのばねをばね止めリブを
利用することで、前記アクトベースにばねによる弾性力を付与することができる。これに
より、前記アクトベースの傾角調整を前記ねじを回動することで行うことができ、光ヘッ
ドの構成部材を減らすことができる。
【００２３】
このことにより、光ヘッドの部材コストを低減するとともに、組み立て作業に必要な時
間、手間を省略して組み立てコストも低減することができる。
【００２４】
また、前記アクトベースに弾性力を付勢するためのばねをばね止めリブを利用すること
で、該ばね止めリブのばね止め部と前記アクトベースのばね受け部の間隙を確保すること
ができ、ばねによる弾性力を前記アクトベースに適切に付与することができる。このこと
により、レーザ光が光ディスクに正確に照射されるように調整した後に、アクチュエータ
が動くのを防止することができ、それだけ、安定して長期にわたり、データの読出し及び
（又は）記録を精度よく行うことができる。
【００２５】
上記構成において前記ばね受け部に備えられる脱落防止部として、凹部であるってもよ
く、凸部あってもよい。また、前記ばね受け部の脱落防止部が凸部の場合、前記支柱部に
向かって前記ばね受け部との距離が伸びるように傾斜しているものを挙げることができる
。
【００２６】
上記構成において前記ばね止め部に備えられる脱落防止部として、前記支柱部向かって
ばね止め部との距離が縮むように傾斜している突起部であってもよい。
【発明の効果】
【００２７】
本発明によると、アクトベースに弾性力を付勢するためのばねを押えるためのねじがな
くても、前記アクトベースにばねによる弾性力を付与することができるものであり、光ヘ
ッドの構成部材を減らすことができ、それだけ、光ヘッドの部材コストを低減するととも
に、組み立て作業に必要な時間、手間を省略して組み立てコストも低減することができる
光ヘッドを提供することができる。
【００２８】
また本発明によると、アクトベースに弾性力を付勢するためのばねを押えるためのボル
トがなくても、前記アクトベースにばねによる弾性力を付与することができるものであり
、組み立て時にねじの締付工程を省略することができるので、ねじの締付が不十分であっ
たり、ねじが緩んだりすることで、ばねの弾性力がアクトベースに十分に付与されない不
具合の発生を抑制することができる光ヘッドを提供することができる。
【００２９】
レーザ光が光ディスクに正確に照射されるように調整した後に、アクチュエータが動く
のを防止することができ、それだけ、安定して長期にわたり、データの読出し及び（又は
）記録を精度よく行うことができる。
【発明を実施するための最良の形態】
【００３０】
以下に本発明の実施形態を図面を参照して説明する。図１に光ヘッドの一例の配置図を
示す。即ち、レーザ光源Ｌｄと、ミラーＭｒと、コリメータレンズＬｃと、対物レンズＬ
ｂと、ビームスプリッタＢｓと、受光素子Ｐｄとを有している。レーザ光源Ｌｄより照射
されたレーザ光は一部がビームスプリッタＢｓを透過し、ミラーＭｒで反射され、コリメ
ータレンズＬｃに入射し、平行光に変化してコリメータレンズＬｃより出射する。コリメ
ータレンズＬｃより出射したレーザ光は対物レンズＬｂに入射し対物レンズＬｂより光デ
ィスクＤｓに照射される。
【００３１】
このときレーザ光は光ディスクＤｓの記録目面に焦点をあわせて、且つ、光軸と光ディ
スクＤｓの記録面とが垂直になるようにレーザ光を照射する。ビームスプリッタＢｓは入
射されたレーザ光の半分を透過し半分を反射するプリズムであり、光ディスクＤｓで反射
した光を受光素子Ｐｄに導くものである。受光素子Ｐｄは光を電流に変換するものであり
、光の強さによってデータを読み取るものである。
【００３２】
図２は本発明にかかる光ヘッドの平面図であり、図３は図２に示す光ヘッドの側面図で
あり、図４は図２に示す光ヘッドの側断面図である。光ヘッドＡはレーザ光源Ｌｄ、ビー
ムスプリッタＢｓ、ミラーＭｒ、コリメータレンズＬｃ、受光素子Ｐｄとを保持するスラ
イドベース１と、対物レンズＬｂを保持するためのアクチュエータ２とを備えている。
【００３３】
スライドベース１の側面には光ヘッドＡの動作をディスクトラック方向（ディスク半径
方向）に動作方向を規制するために形成された軸１０と、軸１０と摺動可能に係合する摺
動孔１１と、摺動孔１１に隣接して形成されるラックギヤ１２と、ラックギヤ１２と歯合
するピニオンギヤ１３と、アクチュエータ２の下面に備えられた後述の凸部２２５と当接
し大きな同一球面を形成する３個の球座１４と、後述するアクチュエータベース２２のば
ね受け部２２６と対向し、ばね４を挟んで配置するためのばね止めリブ３とを備えている
。
【００３４】
アクチュエータ２は、対物レンズＬｂと、対物レンズＬｂを保持するためのレンズホル
ダ２１と、内部にレンズホルダ２１を配置するアクチュエータベース２２（以降、アクト
ベース２２と示す）と、アクチュエータ２を付勢するばね４と、アクチュエータ２の角度
を調整するとともに固定するためのねじ２３とを有している。
【００３５】
アクトベース２２は平面視矩形状を有しており、底部２２１と、底部２２１の周囲から
底部２２１と垂直に立ち上がる立ち上がり部２２２と、底部２２１の略中央部に立ち上が
り部２２２と同じ方向に突出する円柱状のシャフト２２３と、立ち上がり部２２２に配置
され、シャフト２２３を挟んで対向して配置される２個の永久磁石２２４と、底部２２１
の裏面に３個配置され、球座１４と接触し、先端が球形状に形成される凸部２２５とを有
している。
【００３６】
アクトベース２２には、底部２２１の角部近傍より、底部２２１と同一平面上で突出す
るばね２３を受けるばね受け部５を備えている。また、立ち上がり部２２２のうち、ばね
受け部５が配置される角部と対角に配置される角部とつながる立ち上がり部２２２に、ね
じ２３を挿入し、ねじ２３のねじ頭と接触し、角度を調整するための角度調整部２２６を
備えている。
【００３７】
シャフト２２３は導電性を有するとともに、磁性体で形成されており、永久磁石２２４
とシャフト２２３の間には磁界が形成されている。永久磁石２２４の磁界はそれには限定
されないが、いずれの磁界も磁力線の向きが永久磁石２２４からシャフト２２３に向かっ
ている。底部２２１にはレーザ光が通過するための貫通した光通過孔２２０が形成されて
いる。
【００３８】
レンズホルダ２１は、対物レンズＬｂを保持するためのレンズ保持部２１１と、レンズ
保持部２１１の略中心部にシャフト２２３と摺動可能且つ回動可能に外嵌する軸孔２１２
と、レンズホルダ２１の側面に軸孔２１２を挟んで対面して配置されるトラッキングコイ
ル２１３と、軸孔２１２を取り囲むように配置されるフォーカシングコイル２１４と、フ
ォーカシングコイル２１４の下面に軸孔２１２の中心軸と直行するように配置される磁性
板２１５とを有している。
【００３９】
軸孔２１２はシャフト２２３を外嵌するように配置される。このとき、アクトベース２
２の永久磁石２２４とシャフト２２３の間には磁界が発生しており、その磁界に磁性板２
１５が配置されることで磁性板２１５に付与する磁気力によって、レンズホルダ２１は底
部２２１と接触することなく支持される。
【００４０】
図５は図２に示す光ヘッドの一例のばね止め部の拡大図であり、図６は図５に示すばね
止め部にばねを取り付けるときの拡大図である。図５に示すようにスライドベース１に形
成されているばね止めリブ３はスライドベース１の上面に突出した支柱部３１と、ばね４
を止めるためのばね止め部３２とを有している。ばね止め部３２には傾斜を有する突起部
３２１が形成されている。
【００４１】
また、アクチュエータ２のばね受け部５は、図５に示すように、ばね４を配置するため
の凹部５１が形成されている。凹部５１にばね４が配置されることで、ばね４に横方向に
力が加えられても、凹部５１の側壁部５１１とばね４とが接触するので、抜け止めがなさ
れる。
【００４２】
図５に示すように、ばね受け部５の凹部５１はばね止めリブ３の支柱部３１が配置され
ている側には、側壁部５１１が省略されている。ばね４に対し、側壁部５１１が省略され
ている方向に力が付勢されても、ばね４はばね止めリブ３の支柱部３１と当接して抜ける
のを防止することができる。側壁部５１１が省略されていることで、ばね４の当接面積を
大きくすることができるので、それだけ、スライドベース１とアクトベース２２との角度
が変化しても、所定範囲内であれば、ばね４がばね受け部５から外れるのを抑制すること
ができる。
【００４３】
図６に示すように、ばね４は治具６にて取り付けられる。このとき、アクチュエータ２
はスライドベース１にねじ２３にて仮止めされている。治具６はばね４を摺動させるため
のスライド孔６１が形成されている。スライド孔６１は途中から外部に向けて絞られた絞
り部６２を有しており、ばね４はスライド孔６１を外部に向けて摺動することで、絞り部
６２にて圧縮される。治具６のスライド孔６１の出口６０で、ばね４の長さは、ばね止め
リブ３のばね止め部３２とばね受け部５との間隔よりも短くなるように圧縮されている。
【００４４】
ばね止め部３２の突起部３２１は支柱部３１に向けて傾いているので、ばね４が突起部
３２１に配置されると、圧縮されているばね４は復元する方向、換言すると、伸びる方向
に力を発生させ、突起部３２１の斜面に沿って、支柱部３１側にスライドし、ばね４が適
切に配置される。
【００４５】
この状態で、アクチュエータ２は角度調整部２２６がスライドベース１の球座１４と摺
動可能に接触しているので、角度調整部２２６が球座１４を摺動可能に配置されている。
すなわち、アクチュエータ２は球座１４が形成する球形状に合わせて揺動可能にスライド
ベース１に支持されている。ばね４を取り付けることで、アクチュエータ２はばね受け部
５が押された状態で、静止している。このとき、ねじ２３を適度に締める又は緩めること
でアクチュエータ２の角度を所定の範囲において、任意の角度に調整することができ、ア
クチュエータ２に配置されたレンズホルダ２１に取り付けられた対物レンズＬｂより出射
されるレーザ光の光軸の角度も調整することが可能である。この調整により、レーザ光を
光軸が光ディスクＤｓに対して、適切な角度をなすように照射することができる。
【００４６】
図７（Ａ）、（Ｂ）は本発明にかかる光ヘッドの他の例のばね止め部の拡大図である。
図７（Ａ）に示す光ヘッドＢは、アクチュエータ２のばね受け部７の形状が異なる以外は
図２、図３等に示す光ヘッドＡと同じ形状を有しており、実質上同一の部分には同一の符
号が付してある。
【００４７】
図７（Ａ）に示す光ヘッドＢのばね受け部７は、ばね４の抜けを抑制するための抜け止
め凸部７１が形成されている。抜け止め凸部７１が形成されていることで、ばね４に力が
付勢されても、ばね４が抜けるのを強固に抑制することができる。また、図７（Ｂ）に示
すように、抜け止め凸部７２がばね止めリブ３の支柱部３１に向けて登っていく傾斜を備
えていてもよい。このように傾斜させて形成することで、ばね４を取り付けるときに押し
込むと、ばね４を傾斜に沿わせることができるとともに、所定位置に配置されたときには
、支柱部３１と反対側に抜けるのを抑制することができる。
【００４８】
上記実施例において、光ヘッドとして軸周り回動するトラッキング動作と、軸に沿って
摺動するフォーカシング動作を行うものを例に説明しているが、それに限定されるもので
はなく、光ディスクにレーザ光を正確な角度で照射することができ、アクトベースをスラ
イドベースの球座部で支持するものを広く採用することができる。
【産業上の利用可能性】
【００４９】
本発明の光ヘッドは、ＤＶＤ、ＣＤ、ＬＤ等の光ディスクにレーザ光を照射して情報を
読み出したり、書込み可能な光ディスクに情報を記録する光ディスク装置において適用す
ることができる。
【図面の簡単な説明】
【００５０】
【図１】光ヘッドの一例の配置図である。
【図２】本発明にかかる光ヘッドの平面図である。
【図３】図２に示す光ヘッドの側面図である。
【図４】図２に示す光ヘッドの側断面図である。
【図５】図２に示す光ヘッドの一例のばね止め部の拡大図である。
【図６】図５に示すばね止め部にばねを取り付けるときの拡大図である。
【図７】図（Ａ）、（Ｂ）は本発明にかかる光ヘッドの他の例のばね止め部の拡大図である。
【図８】従来の光ヘッドの平面図である。
【図９】図８に示すアクチュエータの断面図である。
【符号の説明】
【００５１】
Ａ  光ヘッド
Ｌｄ  レーザ光源
Ｂｓ  ビームスプリッタ
Ｍｒ  ミラー
Ｌｃ  コリメータレンズ
Ｌｂ  対物レンズ
Ｐｄ  受光素子
１  ベース
１１  摺動孔
１２  ラックギヤ
１３  ピニオンギヤ
１４  球座
２  アクチュエータ
２１  レンズホルダ
２２  アクチュエータベース（アクトベース）
２２１  底部
２２２  立ち上がり部
２２３  シャフト
２２４  永久磁石
２２５  凸部
２３  ねじ
３  ばね止めリブ
３１  支柱部
３２  ばね止め部
４  ばね
５  ばね受け部
５  レンズ装着部
６  治具
【図１】
2007058898.tif 000003
【図２】
2007058898.tif 000004
【図３】
2007058898.tif 000005
【図４】
2007058898.tif 000006
【図５】
2007058898.tif 000007
【図６】
2007058898.tif 000008
【図７】
2007058898.tif 000009
【図８】
2007058898.tif 000010
【図９】
2007058898.tif 000011